(57)【要約】【課題】  畦形成機において、盛土装置から畦形成装置へ掘削土を供給する場合に、盛土量の調整範囲が少なく、特に旧畦からの所定の形状に対して不足する場合もあった。【解決手段】  トラクタに装着されるフレーム体と、フレー厶体の一側部に設けた畦形成部と、畦形成部は進行方向に直交する回転ロータリ部からなる盛土装置と、畦を形成する上面ローラと円錐状ディスクから形成される畦形成装置とからなる畦形成機である。前記盛土装置の盛土カバーは、回転ロータリ部の上部を被覆する上面カバーと背面を仕切る背面カバーと、この背面カバーの端部から円錐状ディスクに向けて延設したガイドカバーから構成され、このガイドカバーは円錐状ディスク大径側端縁に対して左右に角度調整を可能に設けた構成を有して旧畦に対して所定の形状に必要な盛土供給量を効果的に調整するものである。【選択図】      図１０
2005065666.tif 000002
【特許請求の範囲】
【請求項１】
トラクタに装着されるフレーム体と、フレーム体の一側部に設けた畦形成部と、畦形成部は進行方向に直交する回転ロータリ部からなる盛土装置と、畦を形成する上面ローラと円錐状ディスクから形成される畦形成装置とからなり、前記盛土装置の盛土カバーは、回転ロータリ部の上部を被覆する上面カバーと背面を仕切る背面カバーと、この背面カバーの端部から円錐状ディスクに向けて延設したガイドカバーから構成され、このガイドカバーは円錐状ディスク大径側端縁に対して左右に角度切換えを可能に設けたことを特徴としたトラクタに連結する畦形成機。
【発明の詳細な説明】
【技術分野】
【０００１】  本発明は、トラクタに連結して畦を形成するもので、畦形成装置に供給する盛土量を調整可能なカバーの構成に関するものである。
【背景技術】
【０００２】  背景技術として、走行機体の後部に装着され、該走行機体から動力を受け、機体進行方向と平行な回転軸を持ち、元畦及び圃場を耕耘して畦上に盛り上げる前処理体、及びこの前処理体により耕耘された土壌を畦に成形する整畦体を備え、上記前処理体に耕耘土の飛散を防止するカバー対を設けた畦塗り機において、上記前処理体により耕耘された土壌が畦の底部及び法面を形成する部分を覆うカバー体に耕耘土をガイドするガイドプレートを設け、このガイドプレートのカバー体に対する取付け角度を調節可能としたことを特徴とする畦塗り機が知られ、そして、上記の構成により本発明の畦塗り機は、前処理体により耕耘された土壌が畦の底部及び法面を形成する部分を覆うカバー体に耕耘土をガイドするガイドプレートを設け、このガイドプレートのカバー体に対する取付け角度を調節可能としたことで、耕耘土の水分が少ないときはガイドプレートの開度を小さくし、耕耘土の水分が多いときはガイドプレートの開度を大きくして、畦の底部及び法面への耕耘土の流れをスムーズにしている技術が公知である。（特許文献１）
【特許文献１】  特許第３２０９９４９号明細書
【発明の開示】
【発明が解決しようとする課題】
【０００３】  上記背景技術によれば、耕耘土の水分の割合に応じて耕耘土の流れをス厶ーズにするものであるが、旧畦が細く所定形状に必要な土が少ない場合や、多年の土盛形成によって畦が膨張した場合に、畦巾を細めるために盛土を積極的に排除する場合には適さない問題があった。
【課題を解決するための手段】
【０００４】  上記課題を解決するために、トラクタに装着されるフレーム体と、フレーム体の一側部に設けた畦形成部と、畦形成部は進行方向に直交する回転ロータリ部からなる盛土装置と、畦を形成する上面ローラと円錐状ディスクから形成される畦形成装置とからなり、前記盛土装置の盛土カバーは、回転ロータリ部の上部を被覆する上面カバーと背面を仕切る背面カバーと、この背面カバーの端部から円錐状ディスクに向けて延設したガイドカバーから構成され、このガイドカバーは円錐状ディスク大径側端縁に対して左右に角度切換えを可能に設けたことを特徴としたトラクタに連結する畦形成機を提供したものである。
【発明の効果】
【０００５】  本発明を実施した畦形成機を水田に導入して畦を形成する際に、旧畦が細く所定の畦形状より土量が不足する場合は、ガイドカバーの端部が円錐ディスクの上面側に位置させ盛土装置から供給する盛土の全部を活用する。又、旧畦が数年に亘って盛土され太って膨張している場合には、ロータリ部の掘削量を排除するためにガイドカバーの端部には円錐ディスクの背面側に位置させて、掘削土の供給量をほとんどを逃がしてやると旧畦を細く成形することが可能となる。
【発明を実施するための最良の形態】
【０００６】  以下、本発明の実施の形態を図面に基づいて説明する。図１は本発明を実施した畦形成機の前進作業時の平面図、図２は前進作業時の後面図、図３は前進作業時の左側面図、図４は畦形成機の後進作業時の平面図、図５は畦形成機の走行移動時の一部を省略した左側面図、図６は図５に示した左側面図の回転軸部の詳細図、図７は支持フレーム部の説明図、図８は固定手段の固定解除説明図、図９は畦形成部の右側面図、図１０は盛土カバーの作用説明図である。【０００７】  図１から図３において、１は装着フレームを示し、前方に一対のロアピン１１及びトップブラケット１２を有して、図示していないがトラクタの後部三点リンクヒッチに連結される。２は支持フレームを示し、基部は装着フレー厶１の後部略中心部に設けた回転軸４によって旋回自在に支持されて、その他方端にはパイプフレーム２２を介して畦形成部３を配置してなる。パイプフレーム２２は支持フレーム２の外周を摺動自在に構成している。畦形成部３は掘削爪３６を有した盛土装置３１と、畦上面削土装置３３及び畦形成装置３２から構成される。盛土装置３１は、進行方向に直交するロータリ部を有して、ロータリ部の掘削爪３６の掘削土を旧畦側へ盛土するものである。【０００８】  ７は盛土カバーを示し、盛土装置３１の掘削爪３６を有したロータリ部の上部を被覆し、掘削土を仕切って旧畦側へ盛土として供給するものである。７７は盛土カバー７の上面カバー７１を後方に延設して，畦上面削土装置の上面を被覆する上面延長カバーである。３７は円錐ディスクを示し、畦形成装置３２の本発明における実施例でスリップ回転しながら盛土を掻き込んで圧縮形成するものである。【０００９】  ４３は連結ロッドを示して、装着フレーム側の回転軸より走行方向の前方に位置した第１ピン４１と、畦形成部側のパイプフレーム２２の上部に設けた第２ピン４２とに掛け渡したものである。連結ロッド４３は本実施例においては、ターンバックル構造で中央胴体枠の両端に左ネジ、右ネジ軸を差し込んたもので、左右のネジ軸端が第１ピン４１と第２ピン４２とに固着されており、中央胴体を回転することにより、連結ロッド長さを伸縮するものである。ターンバックルの代りに電動油圧シリンダを用いても本発明の要旨は変わらない。【００１０】  ５２はダブル広角ジョイントを示し、トラクタＰＴＯ軸から動力が伝導されて伝達部を構成し、畦形成部３の入力伝動ケース５４に回転力を伝える。２３はボス軸で、支持フレーム２の基部に上方向に連結され、回転軸４に対して旋回自在に設けられ、２４の固定板を水平に設けている。６は操作ハンドルで、６１のワイヤケーブルを介して遠隔操作するもので、前記した固定板２４に対して固定解除の制御指示をするものである。【００１１】  図４は、装着フレーム１の回転軸４を中心として、支持フレーム２に設けた畦形成部３を１８０度旋回した位置を示して、後進作業時の平面図である。【００１２】  図５と図６についてさらに説明する。装着フレーム１の中央部の下方に伝達部５を装備する。伝達部５はトラクタから入力される入力軸５１を設けて、後端にダブル広角ジョイント５２の前端を連結する。ダブル広角ジョイント５２の他端は、入力伝達ケース５４���伝達軸５３に連結され、前記入力軸５１に対する取り付け角度と伝達軸５３への取り付け折れ角はほぼ対称である。【００１３】  ２は支持フレームを示し、前端にボス軸２３を設けて４の回転軸を支点として旋回自在に支持される。２２はパイプフレームを示し、前記した支持フレーム２の外周に摺動自在に設けられている。ボス軸２３に設けた固定板２４の係合孔にロックピン６２が係合して支持フレーム２の旋回を阻止する。６１のワイヤケーブルを操作ハンドルによって引くとロックピン６２は下降して固定を解除する。【００１４】  図７と図８において、固定手段の固定解除の動作を説明する。図７においては前進作業時の位置に支持フレーム２が固定された状態である。すなわち、固定板２４の係合孔６３，６３ａ，６３ｂが３個設けられ、６２のロックピンが係合した位置から第２の係合孔６３ａ、第３の係合孔６３ｂと順次解除と挿入をする。特に図８について動作を説明すると、操作ハンドル６を引くと６１のワイヤケーブルがリンクロッド６４の一方のブラケットを引き上げ、他方部のブラケットが下方へ下がりロックピン６５が下降して、固定板２４の係合孔６３から解除されて、支持フレー厶２の旋回によって走行移動用の係合孔６３ａ、後進作業用の係合孔６３を選択して操作ハンドルを戻して固定するものである。【００１５】  図２は前進作業時の後面図を示し、２点鎖線の畦形成装置は連結ロッド４３の伸線によって、旧畦の位置合わせの為の移動される様子を示したものである。【００１６】  装着フレーム１側の回転軸４の前方に位置した第１ピン４１と畦形成部側の第２ピン４２とに連結ロッド４３を掛け渡して走行移動位置に旋回した時に、畦形成作業部が回転軸４側へ近接移動する作用について説明する。【００１７】  図１の第１ピン４１と回転軸４との距離をＬ１、回転軸４と第２ピン４２との距離をＬ２とする。第１ピン４１と第２ピン４２に掛け渡した連結ロッド４３の長さをＬとすると、前記Ｌ１＋Ｌ２よりＬが小さい場合にその長さの差だけパイプフレーム２２が固定された時に比較して摺動して畦形成作業部の重心が回転軸４側へ接近する。【００１８】  図９と図１０に基づいて畦形成部の盛土カバー７の作用について詳しく説明する。【００１９】  ７は盛土カバーを示し、盛土装置の回転ロータリ部の上部を被覆する上面カバー７１と、背面を仕切って掘削土を旧畦側へ案内供給する背面カバー７２と、この背面カバー７２の端部から畦形成装置の円錐ディスク３７に向けて延設したガイドカバー７３から構成される。７７は上面カバー７１の後方から延設した上面延長カバーを示し、畦上面削土装置３３の上方を被覆するものである。７６はヒンジでガイドカバー７３が進行方向に対して左右揺動させるものである。７８はゴム板で背面カバー７２の下端に延設したもので、水田の凸面等に接触した場合は撓んで逃げる。又、７８１ゴム板でガイドカバー７３の後方部を延設したもので、適宜な弾性力があるから円錐ディスク３７の端縁と重合させて配置可能である。【００２０】  背面カバー７２には平行状の調節孔８が３個設けられている。ガイドカバー７３には係合片７５が設けられ、７４の調節ロッドがこの係合片７５と前記した調節孔８の所定の孔を選択して掛け渡す。ガイドカバー７３の実線は、掘削土の盛土を円錐ディスク３７の端縁に対して背面に逃す方向（Ｆ２）を示したものである。ガイドカバー７３の仮想線で示したものは円錐ディスク３７の上面側へ位置（Ｆ１）したもので、盛土量が所定の畦形状に不足ぎみの時には、盛土全量を旧畦へ供給するものである。
【図面の簡単な説明】
【００２１】
【図１】本発明を実施した畦形成機の前進作業時の平面図
【図２】前進作業時の後面図
【図３】前進作業時の左側面図
【図４】畦形成機の後進作業時の平面図
【図５】畦形成機の走行移動時の一部を省略した左側面図
【図６】図５に示した左側面図の回転軸部の詳細図
【図７】支持フレーム部の説明図
【図８】図８は固定手段の固定解除説明図
【図９】畦形成部の右側面図
【図１０】盛土カバーの作用説明図
【符号の説明】
【００２２】１      装着フレーム
１１    ロアピン
１２    トップブラケット
２      支持フレー厶
２２    パイプフレーム
２３    ボス軸
２４    固定板
３      畦形成部
３１    盛土装置
３２    畦形成装置
３３    畦上面削土装置
３４    第１チェーンケース
３５    第２チェーンケース
３６    掘削爪
３７    円錐ディスク
４      回転軸
４１    第１ピン
４２    第２ピン
４３    連結ロッド
５      伝達部
５１    入力軸
５２    ダブル広角ジョイント
５３    伝達軸
５４    入力伝達ケース
６      操作ハンドル
６１    ワイヤケーブル
６２    ロックピン
６３    係合孔
６３ａ  係合孔
６３ｂ  係合孔
６４    リンクロッド
７      盛土カバー
７１    上面カバー
７２    背面カバー
７３    ガイドカバー
７４    調整ロッド
７５    係合片
７６    ヒンジ
７７    上面延長カバー
７８    ゴ厶板
７８１  ゴム板
８      調節孔
【図１】
2005065666.tif 000003
【図２】
2005065666.tif 000004
【図３】
2005065666.tif 000005
【図４】
2005065666.tif 000006
【図５】
2005065666.tif 000007
【図６】
2005065666.tif 000008
【図７】
2005065666.tif 000009
【図８】
2005065666.tif 000010
【図９】
2005065666.tif 000011
【図１０】
2005065666.tif 000012